(57)【要約】【課題】  本発明は魚釣用リールに係り、ロ−タやハンドルア−ム等の被締結部材を、ナットやボルト等の締結部材を介して所定部位に締結するに当たり、従来に比しコンパクトで組込みが容易な緩み止め機構を備えた魚釣用リールを提供することを目的とする。【解決手段】  被締結部材に締結した締結部材の緩み止め機構を備えた魚釣用リールに於て、前記緩み止め機構を、多数の被係合部が形成された前記締結部材と、前記被締結部材に形成された回り止め部に位置決めされ、前記被係合部に係脱自在な緩み止め係合部を備えた緩み止め部材とで構成し、前記被締結部材への締結部材の締結時に、前記緩み止め係合部を前記被係合部に連続的に接触させて、前記緩み止め部材を被締結部材と締結部材との間に抜け止め固定したことを特徴とする。【選択図】    図２
2011067171.tif 000002
【特許請求の範囲】
【請求項１】
被締結部材に締結した締結部材の緩み止め機構を備えた魚釣用リールに於て、
前記緩み止め機構を、
多数の被係合部が形成された前記締結部材と、
前記被締結部材に形成された回り止め部に位置決めされ、前記被係合部に係脱自在な緩み止め係合部を備えた緩み止め部材とで構成し、
前記被締結部材への締結部材の締結時に、前記緩み止め係合部を前記被係合部に連続的に接触させて、前記緩み止め部材を被締結部材と締結部材との間に抜け止め固定したことを特徴とする魚釣用リール。
【請求項２】
被締結部材に締結した締結部材の緩み止め機構を備えた魚釣用リールに於て、
前記緩み止め機構を、
多数の被係合部が形成され、前記締結部材が回り止め嵌合する係合部材と、
前記被締結部材に形成された回り止め部に位置決めされ、前記係合部材の被係合部に係脱自在な緩み止め係合部を備えた緩み止め部材とで構成し、
前記被締結部材への締結部材の締結時に、該締結部材に回り止め嵌合した係合部材の被係合部に前記緩み止め係合部を連続的に接触させて、前記緩み止め部材を被締結部材と締結部材との間に抜け止め固定したことを特徴とする魚釣用リール。
【請求項３】
前記締結部材はボルトで、その頭部の周方向に、多数の凹凸部からなる前記被係合部が形成されていることを特徴とする請求項１に記載の魚釣用リール。
【請求項４】
前記締結部材はナットで、その外周の周方向に、多数の凹凸部からなる前記被係合部が形成されていることを特徴とする請求項１に記載の魚釣用リール。
【請求項５】
前記緩み止め部材は一枚のプレートからなり、該プレートに、前記被係合部に係脱自在に弾性変形可能な係合片からなる前記緩み止め係合部が一体形成されていることを特徴とする請求項１乃至請求項４のいずれか１項に記載の魚釣用リール。
【請求項６】
前記緩み止め部材は、一枚のプレートと、該プレートと別体に形成され、前記被係合部に係脱自在にバネ部材で付勢された係合爪からなる前記緩み止め係合部とで構成されていることを特徴とする請求項１乃至請求項４のいずれか１項に記載の魚釣用リール。
【請求項７】
多数の凹凸部からなる前記被係合部の下部側面または該被係合部に係脱する前記係合爪の上部側面のいずれか一方に、傾斜状のガイド部を設けたことを特徴とする請求項３乃至請求項６のいずれか１項に記載の魚釣用リール。
【発明の詳細な説明】
【技術分野】
【０００１】
本発明は魚釣用リールに係り、詳しくはコンパクトで低コスト、組込みが容易なナットやボルトの緩み止め機構を備えた魚釣用リールに関する。
【背景技術】
【０００２】
一般に、スピニングリ−ルのロ−タや、釣糸の巻取り操作を行う両軸リ−ルのハンドルア−ム等は、駆動回転軸に回り止め嵌合されて、該駆動回転軸に螺合されたナットで締め付け固定されている。
【０００３】
しかし、このようなナットは駆動回転軸と共に回転するため、ロータやハンドルに作用する慣性力や振動等によって緩みやすい。
【０００４】
そこで、このようなナットの緩みを防止するため、特許文献１乃至特許文献３に開示されるように、ナットの外周にネジを直接当接して回転しないようにしたり、緩み止め用プレ−トをナットの外周に回り止め嵌合または当接させて、ナットが不必要に回転してロータやハンドルアームの締め付け状態が緩むのを防止した緩み止め機構が、従来より一般的に知られている。
【先行技術文献】
【特許文献】
【０００５】
【特許文献１】実開昭５７−１７１４１５号公報
【特許文献２】特開平１１−２８５３３５号公報
【特許文献３】特開２００３−７９２８８号公報
【発明の概要】
【発明が解決しようとする課題】
【０００６】
而して、実際の組立工程では、前記駆動回転軸にロータやハンドルアームを取り付けて、ナットを例えば電動ドライバ−で所定の締め付けトルクで締め付けた後、緩み止め用のネジや緩み止め用プレートをナットが不必要に回転しないように係合させて該ネジや緩み止め用プレートをロータ等に固定する作業を行う。
【０００７】
しかし、ナット外周のネジが当接する位置や、緩み止め用プレートのネジ用孔位置とナット位置が一致するとは限らず、位置合わせのためにスパナ等の工具でナットを増し締め（調整締め）する等の微調整が必要で、組込性（生産性）が悪かった。
【０００８】
また、「緩み止めのネジ部材のネジ頭が入る」、「ネジの掛かりがとれる」、「孔を開けても強度に影響のない設計」等、設計の自由度に制限を受け、多くのスペースを必要としている。更に、ネジ加工のコストがかかったり、緩み止めネジの緩みに対する対策がない等の不具合も指摘されていた。
【０００９】
一方、緩み止め対策として、直接、接着剤をナット等に塗布する方法も知られているが、接着剤のカスがリールの内部に入って回転性能を低下させたり、接着剤を用いることで分解、組立を繰り返すことができず、メンテナンス作業ができない欠点があった。
【００１０】
また、例えばスピニングリールでは、ハンドルに連動回転するロータのロータアームの先端に、ベール支持部材を介して半環状のベールが釣糸巻取り位置と釣糸放出位置とに反転自在に取り付き、該ベール支持部材にラインローラが回転可能に取り付けられているが、釣糸放出位置から釣糸巻取り位置へのベール支持部材の反転時の振動等で、ラインローラをベール支持部材に取り付けるボルトが緩みやすいといった欠点も指摘されている。
【００１１】
本発明は斯かる実情に鑑み案出されたもので、前記ロ−タやハンドルア−ム等の被締結部材を、ナットやボルト等の締結部材を介して所定部位に締結するに当たり、従来に比しコンパクトで組込みが容易な緩み止め機構を備えた魚釣用リールを提供することを目的とする。
【課題を解決するための手段】
【００１２】
斯かる目的を達成するため、請求項１に係る発明は、被締結部材に締結した締結部材の緩み止め機構を備えた魚釣用リールに於て、前記緩み止め機構を、多数の被係合部が形成された前記締結部材と、前記被締結部材に形成された回り止め部に位置決めされ、前記被係合部に係脱自在な緩み止め係合部を備えた緩み止め部材とで構成し、前記被締結部材への締結部材の締結時に、前記緩み止め係合部を前記被係合部に連続的に接触させて、前記緩み止め部材を被締結部材と締結部材との間に抜け止め固定したことを特徴とする。
【００１３】
そして、請求項２に係る発明は、被締結部材に締結した締結部材の緩み止め機構を備えた魚釣用リールに於て、前記緩み止め機構を、多数の被係合部が形成され、前記締結部材が回り止め嵌合する係合部材と、前記被締結部材に形成された回り止め部に位置決めされ、前記係合部材の被係合部に係脱自在な緩み止め係合部を備えた緩み止め部材とで構成し、前記被締結部材への締結部材の締結時に、該締結部材に回り止め嵌合した係合部材の被係合部に前記緩み止め係合部を連続的に接触させて、前記緩み止め部材を被締結部材と締結部材との間に抜け止め固定したことを特徴とする。
【００１４】
また、請求項３に係る発明は、請求項１に記載の魚釣用リールに於て、前記締結部材はボルトで、その頭部の周方向に、多数の凹凸部からなる前記被係合部が形成されていることを特徴とし、請求項４に係る発明は、請求項１に記載の魚釣用リールに於て、前記締結部材はナットで、その外周の周方向に、多数の凹凸部からなる前記被係合部が形成されていることを特徴とする。
【００１５】
更に、請求項５に係る発明は、請求項１乃至請求項４のいずれか１項に記載の魚釣用リールに於て、前記緩み止め部材は一枚のプレートからなり、該プレートに、前記被係合部に係脱自在に弾性変形可能な係合片からなる前記緩み止め係合部が一体形成されていることを特徴とし、請求項６に係る発明は、請求項１乃至請求項４のいずれか１項に記載の魚釣用リールに於て、前記緩み止め部材は、一枚のプレート部材と、該プレート部材と別体に形成され、前記被係合部に係脱自在にバネ部材で付勢された係合爪からなる前記緩み止め係合部とで構成されていることを特徴とする。
【００１６】
そして、請求項７に係る発明は、請求項３乃至請求項６のいずれか１項に記載の魚釣用リールに於て、多数の凹凸部からなる前記被係合部の下部側面または該被係合部に係脱する前記係合爪の上部側面のいずれか一方に、傾斜状のガイド部を設けたことを特徴とする。
【発明の効果】
【００１７】
各請求項に係る発明によれば、締結部材の位置合わせのための調整締めが不要となって、従来に比し組込性（生産性）が良好となった。
【００１８】
また、従来のような緩み止め用プレートを固定するための小型のネジが不要になるため、ネジ周りの強度低下を考慮する必要がなく、そのネジの加工及び締め付け作業が不要となって低コストが図れると共に、接着剤等を使ってそのネジの緩み止めをする必要がない等の利点を有する。
【００１９】
而も、緩み止め部材は締結部材で抜け止め固定されるため、外れることがない。
【００２０】
また、請求項２に係る発明のように係合部材を用いることで、一般的な（規格品の）締結部材を使用することが可能となる。この場合、締結部材に比べて応力負荷の小さい係合部材には、加工性や成形性のよい材料を用いることができる。
【００２１】
そして、請求項６に係る発明によれば、バネ部材の付勢力を除くことで、容易に分解することが可能となる。
【００２２】
更に、請求項７に係る発明によれば、締結部材を締め付けていくに当たり、被係合部と緩み止め部材の緩み止め係合部が自然に噛み合うようになるため、締結部材の締め付けが容易に行える利点を有する。
【図面の簡単な説明】
【００２３】
【図１】請求項１、請求項３及び請求項５の第一実施形態に係る緩み止め機構を装着したスピニングリールの側面図である。
【図２】ベール支持部材の先端側側面図である。
【図３】図２のIII−III線断面図である。
【図４】ボルトと緩み止めプレートの斜視図である。
【図５】請求項１、請求項３及び請求項５の第二実施形態に係るスピニングリールのベール支持部材の先端側側面図である。
【図６】図４のIV−IV線断面図である。
【図７】ボルトと緩み止めプレートの斜視図である。
【図８】請求項７の第一実施形態に於けるボルトと緩み止めプレートの側面図である。
【図９】請求項７の第二実施形態に於けるボルトの側面図である。
【図１０】請求項１、請求項３及び請求項６の一実施形態に於ける緩み止め機構の平面図である。
【図１１】図１０のXI−XI線断面図である。
【図１２】請求項２及び請求項５の一実施形態に係る緩み止め機構を装着したスピニングリールの側面図である。
【図１３】ロータの正面図である。
【図１４】ナットが回り止め嵌合された係合リングと緩み止めプレートの側面図である。
【図１５】図１３のXV−XV線断面図である。
【図１６】ナットが回り止め嵌合された係合リングと緩み止めプレートの側面図である。
【図１７】図１３のXVII−XVII線断面図である。
【発明を実施するための形態】
【００２４】
図１乃至図４は請求項１、請求項３及び請求項５に係る発明をスピニングリールに適用した第一実施形態を示し、図１に於て、１はリール本体３内の図示しないフライヤ軸に固定されたロータで、ロータ１には一対の支持アーム５が一体形成されている。
【００２５】
そして、図１及び図３に示すように一方の支持アーム５の先端に、ラインローラ７を支持するベール支持部材９とラインスライダー１１が釣糸巻取位置側と釣糸放出位置側へ反転自在に取り付き、また、図示しない他方の支持アームにも、ベール支持部材が同じく釣糸巻取位置側と釣糸放出位置側へ反転自在に取り付けられており、該ベール支持部材とラインスライダー１１との間に半環状のベール１３が装着されている。
【００２６】
また、図１中、１５はロータ１と同軸上に装着されたスプールで、スプール１５はリール本体３の前後方向に往復動可能に取り付くスプール軸に支持されており、図１の如くベール１３を釣糸放出位置から釣糸巻取位置側へ反転させてハンドル１７の操作でロータ１を釣糸巻取り方向へ回転すると、これに連動して前後方向へ往復動するスプール１５に釣糸がラインローラ７を介して巻回されるようになっている。
【００２７】
図２はベール支持部材５の側面図、図３は図２のIII−III線断面図を示し、図３に示すようにラインスライダー１１は、中央に突設された円柱状の支軸１９を介してベール支持部材（被締結部材）９にボルト（締結部材）２１で固着されている。そして、支軸１９の先端には金属製の筒状部材２３が冠着されており、支軸１９をベール支持部材９にボルト締めすることによって、該筒状部材２３が支軸１９とベール支持部材９との間に挾持されている。
【００２８】
そして、前記筒状部材２３の端部に内レース２５ａを当接させてボールベアリング２５が支軸１９の外周に装着され、該ボールベアリング２５を介してラインローラ９が支軸１９に回転可能に取り付けられており、支軸１９とベール支持部材９とのボルト締めを解除するとラインローラ９が取り外せるようになっているが、ベール支持部材９の釣糸放出位置から釣糸巻取り位置への反転時の振動等によるボルト２１の緩みを防止するため、本実施形態は、ベール支持部材９に以下の如き緩み止め機構２７を装着したことを特徴とする。
【００２９】
図２に於て、２９はベール支持部材９の先端側外周に形成された回り止め凹部（回り止め部）で、回り止め凹部２９は、ベール支持部材９の先端側が円弧状に形成され、ベール支持部材９の後部側の左右角部がＲ付けされた平面視形状をなし、その底部の略中央にボルト２１の軸部２１ａが挿通するボルト挿通孔３１が設けられている。
【００３０】
そして、前記回り止め凹部２９内に、一枚の金属製の緩み止めプレート（緩み止め部材）３３が回り止めされている。
【００３１】
図２及び図４に示すように緩み止めプレート３３は、回り止め凹部２９の周壁に沿って上部側が円弧状に形成されると共に、これと反対側に、先端にフランジ片３５が上方へ断面Ｌ字状に折曲した突片３７が面一に設けられており、図２に示すように円弧状に形成された緩み止めプレート３３の外周と前記フランジ片３５が回り止め凹部２９の周壁に当接して、回り止め凹部２９に対する緩み止めプレート３３の回り止めと位置決めが図られてている。
【００３２】
また、図３に示すように緩み止めプレート３３には、前記ボルト挿通孔３１に対応してボルト挿通孔３９が設けられており、前述の如く緩み止めプレート３３が回り止め凹部２９内に位置決めされると、両ボルト挿通孔３１、３９が一致するようになっている。
【００３３】
そして、前記フランジ片３５の一端側、即ち、ボルト２１の締め付け方向（図２中、矢印Ａ方向）側に、回り止め凹部２９の内方へ折曲した係合片（緩み止め係合部）４１が弾性変形可能に一体形成されている。
【００３４】
一方、図２乃至図４に示すようにボルト２１の頭部２１ｂの外周に、その頂部２１ｃ側を除いて多数のラチェット状の爪（多数の凹凸部からなる被係合部）４３が周方向に設けられており、ラインスライダー１１の支軸１９をベール支持部材９にボルト締めするに当たり、緩み止めプレート３３を回り止め凹部２９内に位置決めした後、ボルト２１の軸部２１ａをネジ挿通孔３１、３９に挿通して矢印Ａ方向へボルト２１を締め付けると、前記係合片４１が多数の爪４３に連続的に接触するようになっている。
【００３５】
そして、ボルト２１の締め付けが終了すると、図２の実線で示すように係合片４１が多数の爪４３の一つに係合して、ボルト２１の緩み止めを図るようになっている。
【００３６】
また、係合片４１は弾性変形可能で、支軸１９とベール支持部材９とのボルト締めを解除してラインローラ９を取り外す際には、工具等で係合片４１を外方へ変形させて爪４３との係合状態を解除し乍らボルト２１を緩めればよい。
【００３７】
また、図２乃至図４に示すようにボルト２１の頭部２１ｂの頂部２１ｃ側には、ラチェット状の爪４３を覆う薄肉な円板状の保護プレート４５が周方向に設けられており、斯かる保護プレート４５によって、爪４３に対する釣糸の糸絡み防止と切断防止並びに釣人の指先保護が図られている。
【００３８】
本実施形態に係る緩み止め機構２７はこのように構成されているから、ラインローラ７の取付けに当たり、先ず、緩み止めプレート３３を回り止め凹部２９内に位置決めする。
【００３９】
この後、ボルト２１の軸部２１ａをネジ挿通孔３１、３９に挿通してボルト２１を締め付けていくと、ラインスライダー１１の支軸１９がベール支持部材９にボルト締めされるが、図２の二点鎖線で示すようにボルト２１の締め付け時に、緩み止めプレート３３の係合片４１がボルト２１に設けた多数の爪４３に連続的に接触する。そして、ボルト２１の締め付けが終了すると、図２の実線で示すように係合片４１が多数の爪４３の一つに係合してボルト２１の緩み止めを図り、緩み止めプレート３３はボルト２１で抜け止め固定されているため外れることがない。
【００４０】
そして、前記保護プレート４５が爪４３に対する釣糸の糸絡み防止と切断防止、並びに釣人の指先保護を図ることとなる。
【００４１】
また、係合片４１は弾性変形可能であるから、支軸１９とベール支持部材９とのボルト締めを解除してラインローラ９を取り外す際には、工具等で係合片４１を外方へ変形させて爪４３との係合状態を解除し乍ら、ボルト２１を緩めればよい。
【００４２】
このように本実施形態は、ボルト２１の頭部２１ｂの周方向に多数のラチェット状の爪４３を形成すると共に、これに前記係合片４１を係合させてボルト２１の緩み止めを図っているため、ボルト２１の位置合わせのための調整締めが不要となって、従来に比し組込性（生産性）が良好となった。
【００４３】
また、工具等で係合片４１を外方へ変形させて爪４３との係合状態を解除することでボルト２１を緩めることができるため、メンテナンス性が良好で、繰り返しの使用が可能である。
【００４４】
更に、本実施形態によれば、係合片４１と爪４３の先端の作動範囲のスペースで緩み止めが機能するため、従来に比し省スペース化が図れ、また、緩み止めプレート３３はボルト２１で抜け止め固定されるため外れることがない。
【００４５】
更にまた、本実施形態は、従来のような緩み止め用プレートをナットを固定するための小型のネジが不要になるため、ネジ周りの強度低下を考慮する必要がなく、そのネジの加工及び締め付け作業が不要となって低コストが図れると共に、接着剤等を使ってそのネジの緩み止めをする必要がない等の利点を有する。
【００４６】
図５乃至図７は請求項１、請求項３及び請求項５に係る発明の第二実施形態を示し、本実施形態の緩み止め機構４７は、保護プレート４５を備えた前記ボルト２１に代え、図示するように該保護プレート４５を省略し、頭部２１ｂの周方向全体に多数のラチェット状の爪４３が形成されたボルト２１-1を用いたもので、その他の構成は前記実施形態と同様であるため、同一のものには同一符号を付してそれらの説明は省略する。
【００４７】
本実施形態はこのように構成されており、本実施形態によっても、前記実施形態と同様、所期の目的を達成することが可能で、ボルト２１-1の位置合わせのための調整締めが不要となって、従来に比し組込性（生産性）が良好となる等の利点を有する。
【００４８】
図８は請求項７に係る発明の第一実施形態を示し、本実施形態は、緩み止めプレート３３-1の係合片４１-1の上部側面に傾斜状のガイド部４９を設けたものである。
【００４９】
而して、本実施形態によれば、ボルト２１-1を締め付けていくに当たり、ボルト２１-1がガイド部４９に案内されて係合片４１-1が爪４３と自然に噛み合うようになるため、ボルト２１-1の締め付けが容易に行える利点を有する。
【００５０】
図９は請求項７に係る発明の第二実施形態を示し、本実施形態は、ボルト２１-2の爪４３の下部側面に傾斜状のガイド部５１を設けたことを特徴とする。
【００５１】
而して、実施形態によっても、ボルト２１-2を締め付けていくに当たり、緩み止めプレート３３、３３-1の係合片４１、４１-1がガイド部５１に当接し乍らボルト２１、２１-1が案内されるため、係合片４１、４１-1が爪４３と自然に噛み合ってボルト２１、２１-1の組み込みが容易に行える利点を有する。
【００５２】
図１０及び図１１は請求項１、請求項３及び請求項６に係る発明の一実施形態を示し、図２及び図３の実施形態では、ベール支持部材９の先端側外周に回り止め凹部２９を設けて、該回り止め凹部２９内に緩み止めプレート３３を回り止めさせたが、図１１に示すように本実施形態は、ボルト２１-1を締め付けるベール支持部材９-1が前記ベール支持部材９に比し薄肉で回り止め凹部を設けることができない場合の対応策である。
【００５３】
即ち、図中、５３は前記緩み止めプレート３３と略同一形状に形成されたプレート部材で、先端側が平面視円弧状に形成され、他端側は断面Ｌ字状の保持片５５が一体形成されている。そして、プレート部材５３の裏面側に、ベール支持部材９-1の外周に設けた小穴（回り止め部）５７に係合する小突起５９が設けられており、小突起５９が小穴５７に係合してプレート部材５３の回り止めが図られている。
【００５４】
一方、保持片５５側のベール支持部材９-1の外周には、ボルト２１-1の爪４３に係脱自在にねじりコイルバネ（バネ部材）６１で付勢された係合爪６３が装着されており、該係合爪６３はその軸部６５がベール支持部材９-1側の取付孔６７に挿着され、本実施形態は、該係合爪６３と前記プレート部材５３によって請求項６の緩み止め部材を構成している。そして、前記保護片５５によって係合爪６３の抜け止め保持が図られている。その他、図中、６８はベール支持部材９-1のネジ挿通孔３１と一致させてプレート部材５３に設けたネジ挿通孔、また、７０はベール支持部材９-1に突設したコイルバネ保持部である。
【００５５】
本実施形態の緩み止め機構６９はこのように構成されており、本実施形態によっても、図１乃至図４の実施形態と同様、所期の目的を達成することが可能で、ボルト２１-1の位置合わせのための調整締めが不要となって、従来に比し生産性が良好となる。
【００５６】
また、前述したように本実施形態は、係合爪６３とプレート部材５３を別体にして、コイルバネ６１の付勢力を用いて緩み止め部材を構成しているため、コイルバネ６１の付勢力を除く（具体的には、例えばコイルバネ６１を保持しているベール支持部材９-1のコイルバネ保持部７０からコイルバネ６１を外す）ことで、容易に分解することが可能となる。
【００５７】
図１２乃至図１７は請求項２及び請求項５の発明をスピニングリールに適用した一実施形態を示し、本実施形態は、フライヤ軸にロータを固定するナットの緩み止め機構に係るものである。
【００５８】
図１２中、７１は軸受７３、７５を介してリール本体７７の前部に回転可能に軸支された中空なフライヤ軸で、その先端にロータ７９がナット８１（締結部材）で固定されている。
【００５９】
そして、フライヤ軸７１の後端のピニオン８３に、ハンドル８５のハンドル軸８７に固着した駆動歯車８９が噛合しており、ハンドル８５の回転操作が駆動歯車８９、ピニオン８３からフライヤ軸７１に伝達されてロータ７９が回転するようになっているが、ロータ７１に作用する慣性力によるナット８１の緩みを防止するため、本実施形態に係るスピニングリール９１は、以下の如き緩み止め機構９３を備えたことを特徴とする。
【００６０】
図１３乃至図１７は緩み止め機構９３の詳細を示し、図１３に於て、９５は前記回り止め凹部２９と同一形状を以ってロータ７９の端面９７に形成された回り止め凹部（回り止め部）で、その内部に緩み止めプレート３３が回り止めされて位置決めされている。
【００６１】
また、図中、９９は外周全体に多数のラチェット状の爪１０１（多数の凹凸部からなる被係合部）が周方向に形成された係合リング（係合部材）で、その中央にフライヤ軸挿通孔１０３を有する平面視六角形状の位置決め凹部１０５が設けられており、斯かる位置決め凹部１０５にナット８１の底部側を嵌め込むことで、ナット８１と係合リング９９が一体となって、ナット８１の締め付け／緩め動作に連動して係合リング９９が一体に回転するようになっている。
【００６２】
そして、図１２に示すようにナット８１を締め付けると、緩み止めプレート３３の係合片４１が係合リング９９の多数の爪１０１に連続的に接触するようになっている。
【００６３】
本実施形態はこのように構成されているから、フライヤ軸７１へのロータ７９の取付けに当たり、先ず、緩み止めプレート３３を回り止め凹部９５内に位置決めする。
【００６４】
次いで、係合リング９９の位置決め凹部１０５にナット８１の底部側を嵌め込んで、ナット８１をフライヤ軸７１に締め込んでいくと、緩み止めプレート３３の係合片４１が係合リング９９の多数の爪１０１に連続的に接触する。そして、ナット８１の締め付けが終了すると、図１３の実線で示すように係合片４１が多数の爪１０１の一つに係合してナット８１の緩み止めを図り、緩み止めプレート３３及び係合リング９９はナットとロータ７９との間に挟持されているため外れることがない。
【００６５】
また、係合片４１は弾性変形可能であるから、工具等で係合片４１を外方へ変形させて爪１０１との係合状態を解除することで、ナット８１を緩めることができる。
【００６６】
このように本実施形態は、ナット８１が回り止め嵌合した係合リング９９の周方向に多数のラチェット状の爪１０１を形成すると共に、これに前記係合片４１を係合させてナット８１の緩み止めを図っているため、ナット８１の位置合わせのための調整締めが不要となって、従来に比し組込性（生産性）が良好となった。
【００６７】
また、工具等で係合片４１を外方へ変形させて爪１０１との係合状態を解除することでナット８１を緩めることができるため、メンテナンス性が良好で、繰り返しの使用が可能である。
【００６８】
更に、本実施形態も、係合片４１と爪１０１の先端の作動範囲のスペースで緩み止めが機能するため、従来に比し省スペース化が図れ、また、緩み止めプレート３３及び係合リング９９はナットとロータ７９との間に挟持されているため外れることがない。
【００６９】
更にまた、本実施形態にあっても、従来のような緩み止め用プレートをナットを固定するための小型のネジが不要になるため、ネジ周りの強度低下を考慮する必要がなく、そのネジの加工及び締め付け作業が不要となって低コストが図れると共に、接着剤等を使ってそのネジの緩み止めをする必要がない等の利点を有する。
【００７０】
加えて、本実施形態のように係合リング９９を用いることで、一般的な（規格品の）ナットを使用することが可能となる。この場合、ナットに比べて応力負荷の小さい係合リングには、加工性や成形性のよい材料を用いることができる。
【００７１】
尚、図１３の実施形態では、ナット８１が回り止め嵌合する係合リング９９に多数の爪１０１を設けたが、該係合リング９９に代え、請求項４の一実施形態の如くナットの外周の周方向に多数のラチェット状の爪（多数の凹凸部からなる被係合部）を一体に形成してもよいし、また、締結部材に六角ボルトを用いて前記係合リングと組み合わせて構成してもよく、これらの実施形態によっても、前記実施形態と同様、所期の目的を達成することが可能である。
【００７２】
また、前記被係合部の態様としては、前記ラチェット状の爪に限定されるものではなく、ナットの外周やボルトの頭部の外周にローレット加工を施して、多数の凹凸部からなる被係合部を設けてもよく、斯かる実施形態によっても、既述した各実施形態と同様、所期の目的を達成することが可能である。
【符号の説明】
【００７３】
１、７９  ロータ
３、７７  リール本体
５  支持アーム
７  ラインローラ
９、９-1  ベール支持部材
１１  ラインスライダー
１３  ベール
１５  スプール
１９  支軸
２１、２１-1、２１-2  ボルト
２１ｂ  頭部
２７、４７、６９、９３  緩み止め機構
２９、９５  回り止め凹部
３１  ボルト挿通孔
３３  緩み止めプレート
３５  フランジ片
３７  突片
３９  ボルト挿通孔
４１、４１-1  係合片
４３、１０１  爪
４５  保護プレート
４９、５１  ガイド部
５３  プレート部材
５５  保持片
５７  小穴
５９  小突起
６１  ねじりコイルバネ
６３  係合爪
７１  フライヤ軸
８１  ナット
９９  係合リング
１０５  位置決め凹部
【図１】
2011067171.tif 000003
【図２】
2011067171.tif 000004
【図３】
2011067171.tif 000005
【図４】
2011067171.tif 000006
【図５】
2011067171.tif 000007
【図６】
2011067171.tif 000008
【図７】
2011067171.tif 000009
【図８】
2011067171.tif 000010
【図９】
2011067171.tif 000011
【図１０】
2011067171.tif 000012
【図１１】
2011067171.tif 000013
【図１２】
2011067171.tif 000014
【図１３】
2011067171.tif 000015
【図１４】
2011067171.tif 000016
【図１５】
2011067171.tif 000017
【図１６】
2011067171.tif 000018
【図１７】
2011067171.tif 000019